(57)【要約】【課題】携帯情報処理装置の外部環境の状況に応じて、オーディオデータ再生時の音質、動画像データ再生時の画質を調整し、音声処理、画像処理に関連する処理量を低減させることにより、携帯情報処理装置の消費電力を削減できる省電型携帯情報処理装置を提供する。【解決手段】携帯情報処理装置１の外部（周辺）の音量を音量検出部１５にて検出する。ビットレート算出部１６は検出した音量に基づいてビットレートを算出し、ビットレート調整部１２のビットレートを調整する。入力部１１より入力されたオーディオデータは、オーディオデータデコード部１３において、ビットレート調整部１２からのビットレートに基づいてオーディオデータを再生し、オーディオデータ出力部１４より出力する。【選択図】図３
2007086281.tif 000002
【特許請求の範囲】
【請求項１】
オーディオデータデコード部と、デコードしたオーディオデータを出力するオーディオデータ出力部とを備えた携帯情報処理装置において、デコード時のビットレートを調整可能なビットレート調整部を備え、該ビットレート調整部にて調整したビットレートに基づいて前記オーディオデータをデコードすることを特徴とする携帯情報処理装置。
【請求項２】
周囲の音量を検出する音量検出部を備え、検出した音量に応じて、デコード時のビットレートを変えるようにしたことを特徴とする請求項１に記載の携帯情報処理装置。
【請求項３】
検出した周囲の音量が大きいほどビットレートを小さくするようにしたことを特徴とする請求項２に記載の携帯情報処理装置。
【請求項４】
動画像データデコード部と、デコードした動画像データを出力する動画像データ出力部とを備えた携帯情報処理装置において、デコード時のビットレートを調整可能なビットレート調整部を備え、該ビットレート調整部にて調整したビットレートに基づいて前記動画像データをデコードすることを特徴とする携帯情報処理装置。
【請求項５】
周囲の明度を検出する明度検出部を備え、検出した明度に応じて、デコード時のビットレートを変えるようにしたことを特徴とする請求項４に記載の携帯情報処理装置。
【請求項６】
検出した周囲の明度が大きいほどビットレートを小さくするようにしたことを特徴とする請求項５に記載の携帯情報処理装置。
【発明の詳細な説明】
【技術分野】
【０００１】
本発明は、省電型携帯情報処理装置、より詳細には、ユーザによる設定、または、携帯情報処理装置の外部環境（外部の音量、明度）に応じて、再生時の音質、画質を調整させることで消費電力を節減する省電型携帯情報処理装置に関する。
【背景技術】
【０００２】
近年、携帯情報処理装置（モバイル装置）等を用いて音楽を聴いたり、映画等動画像を視聴する機会が増えている。しかし、携帯情報処理装置を駆動させるバッテリーの容量には限りがあり、さらに、動画等を視聴する場合には消費電力が大きくなる。そのため、携帯情報処理装置を長時間駆動させるために、携帯情報処理装置の消費電力を削減する必要がある。
【０００３】
従来技術として、携帯情報処理装置の利用に際し、必要なデバイスにだけ電源を供給し、不必要なデバイスには電源の供給を行わないようにして携帯情報処理装置の消費電力を削減する技術がある。また、バックライトと液晶表示部とを含む情報処理装置（ノートパソコン等）において、液晶表示側（外界）からの入射光を反射させ（液晶バックライトとして利用し）、液晶バックライトの消費電力を削減する技術がある。
【０００４】
上述の従来技術においては、周囲の環境にかかわらず不必要に高音質の楽曲データを再生したり、高画質の映像を表示するため、電力を無用に消費している。
例えば、地下鉄車内など騒音が大きいところで携帯情報処理装置を使用して音楽を聴いている場合には、高音質で音楽を再生していても、周囲がうるさいため、高音質の音楽などを楽しむことができない。また、ユーザが高音質の音楽を聴くことを所望しない場合、高音質の音楽を再生する必要がない。
それにもかかわらず、高音質で再生するためには、オーディオデータデコード時のビットレートを上げてデコードしなければならず、不必要な処理（高音質の音楽を楽しむことができないのに、高音質の音楽を再生すること）をＣＰＵに強いることになり、結果、消費電力が大きくなってしまう。
【０００５】
また、直射日光の当るような眩しいところで携帯情報処理装置を使用してスポーツ番組などを視聴している場合には、高画質の映像を表示しても、映像表示部（液晶等）に表示される映像（高画質）を視聴者は楽しむことができない（周囲が眩しいため）。また、ユーザが高画質の映像を視聴することを所望しない場合、高画質の映像を表示する必要がない。
それにもかかわらず、高画質の映像を表示するためには、動画像データデコード時のビットレートを上げてデコードしなければならず、不必要な処理（高画質の映像を楽しむことができないのに、高画質で表示処理を行うこと）をＣＰＵに強いることになり、結果、消費電力が大きくなってしまう。
【発明の開示】
【発明が解決しようとする課題】
【０００６】
本発明は、上述のごとき実情に鑑みてなされたもので、ユーザによる設定、または、携帯情報処理装置の外部環境の状況に応じて、オーディオデータ再生時の音質、動画像データ再生時の画質を調整し、音声処理、画像処理に関連する処理量を低減させる（デコード時のビットレートを下げる）ことにより、携帯情報処理装置の消費電力を削減できる省電型携帯情報処理装置を提供することを目的としてなされたものである。
【課題を解決するための手段】
【０００７】
第１の技術手段は、オーディオデータデコード部と、デコードしたオーディオデータを出力するオーディオデータ出力部とを備えた携帯情報処理装置において、デコード時のビットレートを調整可能なビットレート調整部を備え、該ビットレート調整部にて調整したビットレートに基づいて前記オーディオデータをデコードすることを特徴とするものである。
【０００８】
第２の技術手段は、第１の技術手段において、周囲の音量を検出する音量検出部を備え、検出した音量に応じて、デコード時のビットレートを変えるようにしたことを特徴とするものである。
【０００９】
第３の技術手段は、第２の技術手段において、検出した周囲の音量が大きいほどビットレートを小さくするようにしたことを特徴とするものである。
【００１０】
第４の技術手段は、動画像データデコード部と、デコードした動画像データを出力する動画像データ出力部とを備えた携帯情報処理装置において、デコード時のビットレートを調整可能なビットレート調整部を備え、該ビットレート調整部にて調整したビットレートに基づいて前記動画像データをデコードすることを特徴とするものである。
【００１１】
第５の技術手段は、第４の技術手段において、周囲の明度を検出する明度検出部を備え、検出した明度に応じて、デコード時のビットレートを変えるようにしたことを特徴とするものである。
【００１２】
第６の技術手段は、第５の技術手段において、検出した周囲の明度が大きいほどビットレートを小さくするようにしたことを特徴とするものである。
【発明の効果】
【００１３】
本発明によると、ユーザによる設定、または、携帯情報処理装置の外部環境の状況に応じて、再生時の音質、画質を調整する（ユーザには気にならない程度に音質、画質を低下させる）ことにより、音声処理、画像処理（デコード処理）に関連する処理量を低減させ、携帯情報処理装置の駆動時間を延長することができる。
【００１４】
具体的には、地下鉄車内など騒音が大きいところで携帯情報処理装置を使用して音楽を聴いている場合に、オーディオデータ（楽曲データ）再生時の音質を低下させ（デコード時のビットレートを減少させる）、音声処理に関連する処理量を低減できる。
また、直射日光が当るような明度が大きい（まぶしい環境）ところで携帯情報処理装置を使用してスポーツ番組などを視聴している場合には、動画像データ再生時の画質を低下させ（デコード時のビットレートを減少させる、又は、単位時間内に表示される画像フレーム数を減らして動画像を表示させる）、画像処理に関連する処理量を低減できる。
【発明を実施するための最良の形態】
【００１５】
（実施例１）  
図１は、本発明による携帯情報処理装置の実施例を説明するための要部概略構成を示すブロック図で、図中、１は本発明による携帯情報処理装置で、該携帯情報処理装置１は、オーディオデジタルデータ入力部１１、デコード時のビットレートを調整できるビットレート（音質）調整部１２、オーディオデジタルデータ入力部１１から入力されたオーディオデータをビットレート（音質）調整部１２にて調整されたビットレートに基づいてデコードするオーディオデータデコード部１３により構成され、デコードしたオーディオデータを音声出力する音声出力機器（ヘッドフォン、または、スピーカ等）１４等から構成される。
【００１６】
ユーザは、ビットレート（音質）調整部１２を利用して、デコード時のビットレートを調節可能であり、そのため、ユーザがデコード時のビットレートを小さくすると、携帯情報処理装置の消費電力を削減することができる。
【００１７】
なお、オーディオデータ入力部１１を通して入力されるオーディオデータは、ＣＤ（Ｃｏｍｐａｃｔ  Ｄｉｓｋ）、ＭＤ（Ｍｉｎｉ−Ｄｉｓｋ）、ＨＤＤ（Ｈａｒｄ  Ｄｉｓｋ  Ｄｒｉｖｅ）等に記録されているものでもよいし、ネットワーク経由（無線ＬＡＮ等）、放送波経由などによって取得したものでもよい。
【００１８】
（実施例２）
図２は、本発明による携帯情報処理装置の他の実施例を説明するための要部概略構成を示すブロック図で、図中、１は本発明による携帯情報処理装置で、該携帯情報処理装置１は、図１に示したオーディオデータ入力部１１、ビットレート（音質）調整部１２、オーディオデータデコード部１３、オーディオデータ出力部１４に加え、更に、携帯情報処理装置外部（周辺）の音量を検出する音量検出部１５、ビットレート算出部１６を有する。
【００１９】
ビットレート算出部１６は、音量検出部１５が検出した携帯情報処理装置外部の音量から、オーディオデータデコード時のビットレートを算出する。具体的には、音量検出部１５が検出した音量が大きいほど、デコード時のビットレートを下げ、オーディオデータ再生時の音質を低下させる（音質調整）。なお、算出処理の詳細については、図３のフロー図を用いて説明する。
【００２０】
図３は、携帯情報処理装置外部の音量に応じてオーディオデータ再生時の音質を調整する処理手順を示したフロー図であり、音量検出部１５によって携帯情報処理装置外部の音量を検出し（ステップＳ１）、ビットレート算出部１６で検出した音量値と設定値Ｌとの比較を行い（ステップＳ２）、検出した音量がＬ未満の場合は（ステップＳ２にてＹＥＳ）、デコードするビットレートをＸとする（ステップＳ３）。検出した音量がＬ以上の場合は（ステップＳ２にてＮＯ）、検出した音量と設定値Ｈとの比較をおこない（ステップＳ４）、検出した音量がＨ未満の場合は（ステップＳ４にてＹＥＳ）、デコードするビットレートをＹとする（ステップＳ５）。検出した音量がＨ以上の場合は（ステップＳ４にてＮＯ）、デコードするビットレートをＺとする（ステップＳ６）。
【００２１】
オーディオデコード部１３はビットレートＸ，Ｙ，Ｚに基づいてオーディオデータをデコードして（ステップＳ７）、オーディオデータを再生する（ステップＳ８）。
なお、設定値Ｈ，Ｌの関係は、この場合、Ｈ＞Ｌを満たす必要があるものとする。
ただし、本実施例では、設定値の数をＨ，Ｌの２つとしたが、設定値の数は２つに限定されるものではなく、２以上でも以下でもかまわない。
また、設定したビットレートＸ，Ｙ，Ｚの関係は、Ｘ＞Ｙ＞Ｚを満たす任意に定められる数値である。
【００２２】
上述したように、本発明によると、騒音が大きいところで携帯情報処理装置を使用して音楽を聴いている場合は、音質を下げても聴き手にとってあまり影響がないので、オーディオデータ（楽曲データ）再生時の音質を低下させ（デコード時のビットレートを減少させる）、音声処理に関連する処理量を低減させることができ、その結果、携帯情報処理装置の消費電力を節減することができ、携帯情報処理装置の駆動時間を延ばすことができる。
【００２３】
（実施例３）
図４は、本発明による携帯情報処理装置の他の実施例を説明するための要部概略構成を示すブロック図で、図中、１は本発明による携帯情報処理装置で該携帯情報処理装置１は、動画像データ入力部２１、デコード時のビットレートを調整するビットレート（画質）調整部２２、動画像データ入力部２１から入力された動画像データをビットレート（画質）調整部２２にて調整されたビットレートに基づいてデコードする動画像データデコード部２３、デコードした動画像データを出力（映像出力）する動画像データ出力部（液晶機器等）２４等から構成される。ユーザは、ビットレート（画質）調整部２２を利用して、デコード時のビットレートを調節することができ、そのため、ユーザはデコード時のビットレート大きくしたり小さくしたりすることができ、小さくした場合には、携帯情報処理装置の消費電力を削減することができる。
【００２４】
なお、動画像データ入力部２３を通して入力される動画像データは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＨＤＤ（Ｈａｒｄ  Ｄｉｓｋ  Ｄｒｉｖｅ）等に記録されているものでもよいし、ネットワーク経由（無線ＬＡＮ等）、放送波経由などによって取得したものでもよい。
【００２５】
（実施例４）
図５は、本発明による携帯情報処理装置の他の実施例を説明するための要部概略構成を示すブロック図で、図中、１は本発明による携帯情報処理装置で、該携帯情報処理装置１は、動画像データ入力部２１、ビットレート（画質）調整部２２、動画像データデコード部２３、動画像データ出力部２４等に加え、更に、携帯情報処理装置外部（周辺）の明度を検出する明度検出部２５、ビットレート算出部２６を有する。
【００２６】
ビットレート算出部２６は、明度検出部２５が検出した携帯情報処理装置外部の明度から、動画像データデコード時のビットレートを算出する。具体的には、明度検出部２５が検出した明度が大きいほど、デコード時のビットレートを下げ、動画像データ再生時の画質を低下させる（画質調整）。なお、算出処理の詳細については、図６のフロー図を用いて説明する。
【００２７】
図６は、携帯情報処理装置外部の明度に応じて動画像データ再生時の画質を調整する処理手順を示したフロー図で、明度検出部２５によって携帯情報処理装置外部の明度を検出し（ステップＳ１１）、ビットレート算出部２６で検出した明度値と設定値Ｌとの比較を行い（ステップＳ１２）、検出した明度がＬ未満の場合は（ステップＳ１２にてＹＥＳ）、ビットレート調整部２２はデコードするビットレートをＡとする（ステップＳ１３）。検出した明度がＬ以上の場合は（ステップＳ１２にてＮＯ）、検出した明度と設定値Ｈとの比較をおこない（ステップＳ１４）、検出した明度がＨ未満の場合は（ステップＳ１４にてＹＥＳ）、デコードするビットレートをＢとする（ステップＳ１５）。検出した明度がＨ以上の場合は（ステップＳ１４にてＮＯ）、デコードするビットレートをＣとする（ステップＳ１６）。
【００２８】
デコード部２３はビットレートＡ，Ｂ，Ｃに基づいて動画像データをデコードして（ステップＳ１７）、動画像データを再生する（ステップＳ１８）。
なお、設定値Ｈ，Ｌの関係は、Ｈ＞Ｌを満たす必要があるものとする。
ただし、本実施例では、明度基準値の数をＨ，Ｌの２つとしたが、明度基準値の数は２つに限定されるものではなく、２つ以上でも以下でもかまわない。
また、設定したビットレートＡ，Ｂ，Ｃの関係は、Ａ＞Ｂ＞Ｃを満たす任意に定められる数値である。また、本実施例では、デコード時のビットレートを調節して、該ビットレートに基づいて動画像データをデコードしたが、単位時間当たりに表示する動画像データの画像フレーム数を調整して、該画像フレーム数に基づいて動画像データをデコードしてもよい。
【００２９】
上述したように、直射日光の当る場合等明度が大きい（まぶしい環境）ところで携帯情報処理装置を使用してスポーツ番組などを視聴している場合には、動画像データ再生時の画質を低下させ（デコード時のビットレートを減少させる）、画像処理に関連する処理量を低減でき、その結果、携帯情報処理装置の消費電力を節減することができ、携帯情報処理装置の駆動時間を延ばすことができる。
【図面の簡単な説明】
【００３０】
【図１】本発明による携帯情報処理装置の実施例を説明するための要部概略構成を示すブロック図である。
【図２】本発明による携帯情報処理装置の実施例を説明するための要部概略構成を示すブロック図である。
【図３】携帯情報処理装置外部の音量に応じてオーディオデータ再生時の音質を調整する処理手順を示したフロー図である。
【図４】本発明による携帯情報処理装置の実施例を説明するための要部概略構成を示すブロック図である。
【図５】本発明による携帯情報処理装置の実施例を説明するための要部概略構成を示すブロック図である。
【図６】携帯情報処理装置外部の明度に応じて動画像データ再生時の画質を調整する処理手順を示したフロー図である。
【符号の説明】
【００３１】
１…携帯情報処理装置、１１…オーディオデータ入力部、１２…ビットレート（音質）調整部、１３…オーディオデータデコード部、１４…オーディオデータ出力部、１５…音量検出部、１６…ビットレート算出部、２１…動画像データデコード部、２２…ビットレート（画質）調整部、２３…動画像データ入力部、２４…動画像データ出力部、２５…明度検出部、２６…ビットレート算出部。
【図１】
2007086281.tif 000003
【図２】
2007086281.tif 000004
【図３】
2007086281.tif 000005
【図４】
2007086281.tif 000006
【図５】
2007086281.tif 000007
【図６】
2007086281.tif 000008